(57)【要約】【課題】  マニュアル操作からオート操作に切替えるためにアイリス操作の指令元をレンズ装置からカメラ装置に切替え時のシームレスなアイリス制御を可能とする。【解決手段】  上記目的を達成するために、本発明のレンズ装置は、光学部材を有するレンズ装置であって、前記光学部材の状態を操作する操作部の選択のための入力を行う入力部と、前記選択をされた操作部から指令値を入力された場合は、前記指令値に基づいて前記光学部材の状態の第１制御を行い、前記選択をされた操作部から指令値を入力されない場合は、前記選択のための入力を行われた時点での前記光学部材の状態の値に基づいて前記光学部材の状態の第２制御を行う制御部と、を備えたことを特徴とする。【選択図】  図１
2019078832.tif 000002
【特許請求の範囲】
【請求項１】
光学部材を有するレンズ装置であって、
前記光学部材の状態を操作する操作部の選択のための入力を行う入力部と、
前記選択をされた操作部から指令値を入力された場合は、前記指令値に基づいて前記光学部材の状態の第１制御を行い、前記選択をされた操作部から指令値を入力されない場合は、前記選択のための入力を行われた時点での前記光学部材の状態の値に基づいて前記光学部材の状態の第２制御を行う制御部と、
を備えたことを特徴とするレンズ装置。
【請求項２】
前記制御部は、前記選択をされた操作部から指令値を入力されない場合は、前記状態の値としての指令値に基づいて前記光学部材の状態の制御を行うことを特徴とする請求項１に記載のレンズ装置。
【請求項３】
前記操作部のうちの１つとしての手動操作部材を備え、
前記入力部は、前記手動操作部材とカメラ装置とのうちからの前記選択のための入力を行う、
ことを特徴とする請求項１又は２に記載のレンズ装置。
【請求項４】
前記制御部は、入力に基づいて、前記第２制御の替わりに、前記選択をされた操作部から指令値を入力されない場合は、該操作部により過去に操作された前記光学部材の過去の状態の記憶された値に基づいて前記光学部材の状態の第３制御を行うことを特徴とする請求項１乃至３のいずれか１項に記載のレンズ装置。
【請求項５】
請求項１乃至４のいずれか１項に記載のレンズ装置と、
前記レンズ装置によって形成された像を受ける撮像素子と、
を有することを特徴とする撮像装置。
【発明の詳細な説明】
【技術分野】
【０００１】
本発明は、レンズ装置および撮像装置に関するものである。
【背景技術】
【０００２】
レンズ装置は、オート操作を行うための操作部（操作元）であるカメラ装置と、マニュアル操作を行うための操作部であるレンズ装置との間での選択（切替え）により、オート操作とマニュアル操作との間の選択を行いうる。
動画撮影の場合、カットごとに操作部を選択しうる。また、ワンカットの途中で、オート操作とマニュアル操作との間のシームレスな選択ができるのが好ましい。
【０００３】
特許文献１は、オートフォーカス（ＡＦ）からマニュアルフォーカス（ＭＦ）に切替えた場合のＭＦの目標位置を、操作部材の操作量の変化量だけ、前回の目標位置から変位させて設定する。これより、ＡＦによって調整されたフォーカスレンズの位置からＭＦによってフォーカスレンズの移動（フォーカス調整）を行うことができる。
【０００４】
また、マニュアル操作からオート操作への切替えとして、図６のようなアイリス（絞り）調整におけるものが知られている。当該切替え（図中の矢印の時点での切替え）にあたり、マニュアル操作におけるアイリスの現在値（指令値または検出値；Ｆ５．６）をオート操作における指令値として設定する。これにより、マニュアル操作での調整値からのオート操作への移行を行うことができる。
【先行技術文献】
【特許文献】
【０００５】
【特許文献１】特開２００３−２７９８３２号公報
【発明の概要】
【発明が解決しようとする課題】
【０００６】
上述のアイリス調整は、カメラ装置とレンズ装置との間の通信の時点とは異なる時点で、操作部をカメラ装置とする選択（切替え）をレンズ装置において行うと、当該選択の時点では、アイリスの現在値をオート操作における指令値として設定することはできない。
【０００７】
そのため、レンズ装置は、レンズ装置に記憶されている、アイリスの現在値とは異なるオート操作の指令値（過去値）に従ってアイリスを駆動させうる。すなわち、レンズ装置は、図７のように、過去に行われたオート操作での指令値（Ｆ２．８）に従ってアイリスを駆動させうる。そのため、次の通信の時点では、オート操作（カメラ装置）の選択の時点での現在値とは異なる値（状態）にアイリスは駆動されうる。
【０００８】
このように、マニュアル操作からオート操作への切替え（操作部の選択）を行った場合、切替え（選択）の時点でのアイリスの現在値からシームレスにアイリスを調整（制御）することができない。同様のことは、アイリスに限られず、他の可動の光学部材（光学素子）に関しても生じうる。
【０００９】
本発明は、光学部材を操作する操作部の選択に有利なレンズ装置を提供することを例示的目的とする。
【課題を解決するための手段】
【００１０】
上記目的を達成するために、本発明のレンズ装置は、光学部材を有するレンズ装置であって、前記光学部材の状態を操作する操作部の選択のための入力を行う入力部と、前記選択をされた操作部から指令値を入力された場合は、前記指令値に基づいて前記光学部材の状態の第１制御を行い、前記選択をされた操作部から指令値を入力されない場合は、前記選択のための入力を行われた時点での前記光学部材の状態の値に基づいて前記光学部材の状態の第２制御を行う制御部と、を備えたことを特徴とする。
【発明の効果】
【００１１】
本発明によれば、例えば、光学部材を操作する操作部の選択に有利なレンズ装置を提供することができる。
【図面の簡単な説明】
【００１２】
【図１】実施例１におけるレンズ装置のブロック図である。
【図２】実施例１におけるレンズ装置の指令値が決定するまでの処理を示すフローチャート図である。
【図３】実施例１における指令元を切替えた場合のレンズ装置の指令値及び現在位置の関係図である。
【図４】実施例２におけるレンズ装置のブロック図である。
【図５】実施例２におけるレンズ装置の指令値設定モードが決定するまでの処理を示すフローチャート図である。
【図６】指令元を切替えた場合のレンズ装置の指令値及び現在位置の理想的な関係図である。
【図７】指令元を切替えた場合のレンズ装置の指令値及び現在位置のレンズ装置-カメラ装置の通信周期を考慮した関係図である。
【発明を実施するための形態】
【００１３】
以下に、本発明の好ましい実施の形態を、添付の図面に基づいて詳細に説明する。図１は、本発明の実施形態にかかわる構成ブロック図である。
【実施例１】
【００１４】
以下、図１〜３を参照して、本発明の実施例による、レンズ装置について説明する。図１は、本発明の実施例におけるレンズ装置のブロック図である。図１において、１００はレンズ装置、２００はカメラ装置である。
【００１５】
レンズ装置１００について説明する。
１０１は通信部、１０２は指令値保持部、１０３は操作リング（手動操作部材）、１０４は位置検出部、１０５は指令値判断部（制御部）、１０６は指令元切替部（入力部）、１０７は指令値設定部（制御部）、１０８はアイリス駆動部でありレンズ装置１００に構成される。
【００１６】
通信部１０１は、外部（レンズ装置以外の装置、本実施例ではカメラ装置）との通信を行う。また、指令値保持部１０２と接続されており、外部から取得したアイリスを駆動させるための指令値を、指令値保持部１０２に出力する。また、指令値判断部１０５と接続されており、外部から指令値を取得した場合、指令値を公開する。
【００１７】
指令値保持部１０２は、通信部１０１を介し、外部からアイリスを駆動させるための指令値を取得し、外部からの指令値として、取得した指令値を保持する。また、操作リング１０３と接続されており、操作リング１０３からアイリスを駆動させるための指令値を取得し、操作リング１０３の指令値として、取得した指令値を保持する。また、位置検出部１０４を介し、アイリスの現在位置を取得し、現在位置を保持する。また、指令値設定部１０７と接続されており、外部からの指令値及び操作リング１０３の指令値及びアイリスの現在位置を指令値設定部１０７に公開する。
【００１８】
操作リング１０３は、操作リングの位置に対応したアイリスを駆動させるための指令値を生成し、指令値保持部１０２に出力する。
【００１９】
位置検出部１０４は、アイリス駆動部１０８と接続されており、アイリスの現在位置を取得する。また、指令値保持部１０２と接続されており、アイリスの現在位置を指令値保持部１０２に出力する。
【００２０】
指令値判断部１０５は、通信部１０１と接続されており、通信部１０１が外部からアイリスを駆動させるための指令値を取得しているか否かを判断する。また、判断結果である指令値情報を指令値設定部１０７に出力する。
【００２１】
指令元切替部１０６は、アイリスの駆動指令元を、外部からの指令値を有効とする外部装置とするか、操作リング１０３の指令値を有効とするレンズ装置とするかを切替え、指令元情報を生成する。また、指令値設定部１０７と接続されており、指令元情報を指令値設定部１０７に出力する。
【００２２】
指令値設定部１０７は、指令値判断部１０５及び指令元切替部１０６と接続されており、指令値判断部１０５から指令値情報、指令元切替部１０６から指令元情報を取得する。また、指令値保持部１０２と接続されており、指令値情報及び指令元情報に従い、外部からの指令値または、操作リング１０３の指令値または、アイリスの現在位置をアイリスを駆動させるための指令値として設定する。設定した指令値をアイリス駆動部１０８に出力する。
【００２３】
アイリス駆動部１０８は、指令値設定部１０７から入力された指令値に従い、アイリスを駆動させる。また、位置検出部１０４と接続されており、アイリスの現在位置を位置検出部１０４に公開する。
【００２４】
指令値設定部１０７における指令値情報及び指令元情報に応じた指令値の決定方法の詳細については後に説明する。
以上のような構成とすることで、アイリスを駆動させるための指令値を、指令値判断部１０５から入力された指令値情報及び、指令元切替部１０６から入力された指令元情報に応じて、指令値設定部１０７にて切替えることが可能となる。また、指令値設定部１０７で決定された指令値でアイリスを駆動させることが可能となる。
【００２５】
カメラ装置２００は、レンズ装置１００と着脱可能に接続され、レンズ装置１００によって形成された光学像を受光する不図示の撮像素子を有する。また、カメラ装置２００は、レンズ装置１００内の可動光学部材の駆動に関する指令値をレンズ装置に出力することができる。レンズ装置１００とカメラ装置２００を接続することにより撮像装置が構成される。上記外部装置をカメラ装置２００とし、レンズ装置１００と接続することにより、次のような処理が可能となる。
【００２６】
以下、図２のフローチャートを参照して、本実施例における指令値設定部１０７のアイリスの指令値を設定するレンズ装置指令値設定処理について説明する。この処理は、レンズ装置１００に格納されたコンピュータプログラムに従って行われる。
【００２７】
ステップＳ２０１では、指令元切替部１０６から、指令元情報を取得し、指令元情報が、マニュアル操作を行うための操作リング指令値の指令元であるレンズ装置１００か、オート操作を行うためのカメラ指令値の指令元であるカメラ装置２００かを判断する。指令元情報でカメラ装置２００が選択されている場合、ステップＳ２０２に進み、カメラ装置２００が選択されていない場合、ステップＳ２０５に進む。
【００２８】
ステップＳ２０２では、アイリスのオート操作を可能とするカメラ指令値を、指令元情報のカメラ装置への切替え後に、レンズ装置１００がカメラ装置２００から取得しているか否か（指令元からの指令値の有無）の指令値情報を指令値判断部１０５から取得する。指令値情報が指令値有りの場合、ステップＳ２０３に進み、指令値無しの場合、ステップＳ２０４に進む。
【００２９】
ステップＳ２０３では、オート操作でアイリスを駆動させるためにアイリス駆動部１０８に出力する指令値を、指令値保持部１０２で保持しているカメラ装置２００から取得したカメラ指令値に設定し、終了する。（第１制御）
【００３０】
ステップＳ２０４では、アイリスの現在位置を維持するためにアイリス駆動部１０８に出力する指令値を、指令値保持部１０２で保持しているアイリスの現在位置に設定し、終了する。（第２制御）
【００３１】
ステップＳ２０５では、マニュアル操作でアイリスを駆動させるためにアイリス駆動部１０８に出力する指令値を、指令値保持部１０２で保持している操作リング１０３の指令値に設定し、終了する。
【００３２】
このように処理を行うことで、レンズ装置１００の指令元切替部及びカメラ装置２００からの指令値に基づき、レンズ装置の状態に対応した指令値を設定することが可能になる。
【００３３】
よって、図３のようにレンズ装置１００とカメラ装置２００の通信周期以外のタイミングで指令元切替部をカメラ装置２００に切替えても、アイリス駆動部１０８に出力する指令値に、カメラ指令値は設定されず、アイリスの現在位置が設定される。よって、図７のように過去に設定されたカメラ指令値に従い駆動することなく、現在位置を保つので、次の通信周期でも、切替え時と同じアイリスの位置を、カメラ装置２００がオート操作を行うカメラ指令値としてレンズ装置１００に設定する事が可能となる。
ゆえに、マニュアル操作でユーザがアイリスを調整し、そこを基準としてオート操作に切替えた場合も、シームレスなアイリス制御の切替えが可能となる。
【００３４】
以上より、従来技術を用いマニュアル操作からオート操作に切替えるために、指令元をレンズ装置からカメラ装置に切替えると、次の更新周期のタイミングまで指令値が更新されず意図しない指令位置が設定されシームレスな切替えができない問題があった。
【００３５】
今回、アイリスの指令元をレンズ装置からカメラ装置に切り替えた時点において、指令元の指令値が更新されていない場合では、アイリスの現在位置を維持する（選択のための入力を行われた時点でのアイリスの状態に基づいてアイリスを制御する）ことで、シームレスなアイリス制御の切替えが実現できる。
【００３６】
本実施例によれば、アイリス制御の指令元を選択する指令元切替部及びカメラ装置からの指令値に基づき、アイリス制御の指令値を切替することが可能となり、シームレスにマニュアル操作からオート操作の切替えを可能としたレンズ装置を提供することができる。
【００３７】
上記実施の形態では、光学部材をアイリスとして記述したが、必ずしもアイリスである必要はない。位置制御が可能な光学部材であれば同様の効果を得ることが可能である。
【００３８】
また、外部装置をカメラ装置として記述したが、必ずしもカメラ装置である必要はない。レンズ装置と通信可能であり、指令値を生成できる外部装置であればよい。
また、マニュアル操作を操作リングを用いて記述したが、必ずしも操作リングである必要はない。マニュアル指令値が生成可能なレンズ装置の操作部材であればよい。
また、本実施例ではデジタル通信を想定して記述したが、アナログ通信でもよい。
【実施例２】
【００３９】
以下、図４、５を参照して、本発明の第２の実施例による、撮像装置について説明する。実施例１と同一の機能構成は、同一の符号を付け、説明は省く。
図４は、本実施例における撮像装置のブロック図である。実施例１で用いた図１に、操作モード判断部（モード判断手段）１０９が追加されている点が異なる。
【００４０】
通信部１０１は、外部装置（レンズ装置以外の装置、本実施例ではカメラ装置）と接続されており、外部装置から、アイリス制御のモード情報を取得する。すなわち、ここでの外部装置は、アイリス制御のための指令値に加え、どのような制御モードでアイリスを駆動するための指令が出力されているかを示すモード情報を出力する機能を有する外部装置である。また、操作モード判断部１０９と接続されており、外部から取得したモード情報を操作モード判断部１０９に公開する。
【００４１】
操作モード判断部１０９は、通信部１０１を介し、外部における制御のモード情報を取得する。また、指令値が新たに再設定されるまでアイリスの現在位置を指令値とする実施例１の設定処理を有効とする第１モードであるか、指令値が新たに再設定されるまで過去に設定された指令値に従う先行技術の設定処理を有効とする第２モードであるかを判断する。また、 指令値設定部１０７と接続されており、判断結果に従ったモード切替え情報を指令値設定部１０７に出力する。
【００４２】
指令値設定部１０７は、操作モード判断部１０９と接続されており、操作モード判断部１０９からモード切替え情報を取得する。取得したモード切替え情報に従い、アイリスを駆動させるための指令値設定モードを切替える。また、指令値設定モードが第１モードの場合、指令値情報及び指令元情報に従い指令値を設定する。設定した指令値をアイリス駆動部１０８に出力する。
【００４３】
前記モード切替え情報に応じた指令値設定モードの切替え方法の詳細については後に説明する。
以上のような構成とすることで、外部から入力されたモード情報に応じて、自動的にレンズ装置の指令値設定モードを切替えることで、外部の操作モードに応じたアイリスを駆動させるための指令値を設定することが可能となる。また、指令値設定部１０７で決定された指令値でアイリスを駆動させることが可能となる。
【００４４】
上記外部装置をカメラ装置２００とし、レンズ装置１００と接続することにより、次のような処理が可能となる。
【００４５】
以下、図５のフローチャートを参照して、本実施例における操作モード判断部１０９に従った指令値設定モードの切替え処理について説明する。これは、レンズ装置１００に格納されたコンピュータプログラムに従って定期的に行われる。
【００４６】
ステップＳ５０１では、操作モード判断部１０９にて、通信部１０１を介して、カメラ装置２００からカメラ装置２００の制御のモード情報を取得し、ステップＳ５０２に進む。
【００４７】
ステップＳ５０２では、操作モード判断部１０９にて、モード情報が、指令値が新たに再設定されるまでアイリスの現在位置を指令値とする実施例１の動作を有効としたいオート操作モードであるかを判断する。判断結果がオート操作モードの場合、モード切替え情報を第１モードとしステップＳ５０３に進む。また、判断結果がオート操作モードでない場合、モード切替え情報を第２モードとしステップＳ５０４に進む。
【００４８】
ステップＳ５０３では、指令値設定部１０７の指令値設定モードを、指令値が新たに再設定されるまでアイリスの現在位置を指令値とする実施例１の指令値設定処理を有効とする第１モードに設定し終了する。（第２制御）
【００４９】
ステップＳ５０４では、指令値設定部１０７の指令値設定モードを、指令値が新たに再設定されるまで過去に設定（記憶）された指令値に従う先行技術の指令値設定処理を有効とする第２モードに設定し終了する。（第３制御）
【００５０】
このように処理を行うことで、オート操作だけではなく、カメラ装置２００から絶対値を設定できるリモート操作が可能なカメラ装置２００に対しても、カメラ装置２００の操作モードに応じて指令値設定モードを切替えることで、適切な指令値が設定できる。ゆえに、カメラ装置２００とレンズ装置１００の状態に対応した指令値を設定することが可能になる。
【００５１】
よって、カメラ装置２００が、自動的に光学部材を制御（自動制御）するオート操作モードの状態にある場合、レンズ装置１００は、カメラ装置２００からの情報に応じて、自動的に、シームレスな切替えを行う指令値設定処理を有効とすることが可能となる。
【００５２】
また、カメラ装置２００が、リモート操作モードのような操作元切替り時に直ぐに、過去のカメラ指令値を採用する必要がある状態の場合、自動的に、過去のカメラ指令値を採用する指令値設定処理を有効とすることが可能となる。リモート操作モードとは、例えば、マニュアルで操作するアイリス操作部材を動かすまでカメラ装置２００としての指令値を新たに再設定しない、カメラ装置２００に接続されるリモコンが操作元となっている場合のカメラ装置２００の状態である。
【００５３】
以上より、カメラ装置２００の状態に応じてシームレスなアイリス制御の切替えが実現できる。
【００５４】
本実施例によれば、カメラ装置の操作モード及び、アイリス制御の指令元を選択する指令元切替部及びカメラ装置からの指令値に基づき、指令値を切替えることが可能となり、シームレスなアイリス制御の切替えを可能としたレンズ装置を提供することができる。
【００５５】
上記実施の形態では、２つのモードを、オート操作モードとリモート操作モードとして記述したが、必ずしもこの二つである必要はない。指令値が新たに再設定されるまでアイリスの現在位置を指令値とする実施例１の動作を有効としたい操作状態、操作元切替り時に直ぐに過去のカメラ指令値を採用する必要がある操作状態を示すモード情報であればよい。
【符号の説明】
【００５６】
１００・・・・レンズ装置
１０５・・・・指令値判断部（制御部）
１０６・・・・指令元切替部（入力部）
１０７・・・・指令値設定部（制御部）
【図１】
2019078832.tif 000003
【図２】
2019078832.tif 000004
【図３】
2019078832.tif 000005
【図４】
2019078832.tif 000006
【図５】
2019078832.tif 000007
【図６】
2019078832.tif 000008
【図７】
2019078832.tif 000009